(57)【要約】【課題】マスカラ用の塗布具として用いると、短い睫毛の多い目頭側の睫毛や目尻側の睫毛にも、適量のマスカラ用の化粧料を塗ることができ、目頭側から目尻側に亘る睫毛の大部分にマスカラ用の化粧料を一度で塗布することができる化粧料塗布具を提供すること。【解決手段】本発明の化粧料塗布具１は、把持部１１と塗布部１０とを備える。塗布部１０は、把持部１１から伸びる軸部１２、軸部１２から放射状に延びるブラシ毛１３２によるブラシ部１３、及び軸部１２における把持部１１とは反対側の先端に植毛部１４とを備える。ブラシ部１３は、２本の金属製ワイヤの間にブラシ毛を差し込んだ状態で螺旋状に巻き付けられてなる。植毛部１４は、ブラシ部１３のブラシ毛１３２より細かい繊維を備える。塗布部１０は軸部１２におけるブラシ部１３から植毛部１４までの全領域が湾曲した形状である。【選択図】図１
2015097790.tif 000002
【特許請求の範囲】
【請求項１】
把持部と塗布部とを備える化粧料塗布具であって、
塗布部は、把持部から伸びる軸部、軸部から放射状に延びるブラシ毛によるブラシ部、及び軸部における把持部とは反対側の先端に植毛部とを備えており、
前記ブラシ部は、２本の金属製ワイヤの間にブラシ毛を差し込んだ状態で螺旋状に巻き付けられており、前記植毛部は、ブラシ部のブラシ毛より細かい繊維を備えており、前記塗布部は前記軸部におけるブラシ部から植毛部までの全領域が湾曲した形状である化粧料塗布具。
【請求項２】
前記塗布部は前記軸部におけるブラシ部から植毛部までの全領域が円弧形状である請求項１記載の化粧料塗布具。
【請求項３】
前記ブラシ部のブラシ毛の先端を繋いだブラシの外形と、前記植毛部の外形との間に空隙部を有する請求項１又は２記載の化粧料塗布具。
【請求項４】
前記塗布部が最も湾曲する状態を側面視して、前記植毛部の軸部を通る最大径と、ブラシ部のブラシ毛の先端を繋いだブラシの外形による湾曲した形状の仮想３次元の立体円柱構造における最大径との割合（植毛部の最大径/ブラシ部最大径）が０．３以上、１．５以下である請求項１〜３のいずれか１項記載の化粧料塗布具。
【請求項５】
前記塗布部が最も湾曲する状態を側面視して、前記植毛部の軸部を通る最大径と、ブラシ部のブラシ毛の先端を繋いだブラシの外形による湾曲した形状の仮想３次元の立体円柱構造における最大径との割合（植毛部の最大径/ブラシ部最大径）が０．５以上、１．５以下である請求項４記載の化粧料塗布具。
【請求項６】
前記塗布部が最も湾曲する状態を側面視して、前記植毛部の軸部を通る最大径と、ブラシ部のブラシ毛の先端を繋いだブラシの外形による湾曲した形状の仮想３次元の立体円柱構造における把持部とは反対側の先端径との割合（植毛部の最大径/ブラシ部先端径）が０．３以上、３以下である請求項１〜５のいずれか１項記載の化粧料塗布具。
【請求項７】
前記塗布部が最も湾曲する状態を側面視して、前記植毛部の軸部を通る最大径と、ブラシ部のブラシ毛の先端を繋いだブラシの外形による湾曲した形状の仮想３次元の立体円柱構造における把持部とは反対側の先端径との割合（植毛部の最大径/ブラシ部先端径）が０．５以上、３以下である請求項６記載の化粧料塗布具。
【請求項８】
前記植毛部の前記繊維は、その密度が、前記ブラシ部の前記ブラシ毛の密度よりも高い請求項１〜７のいずれか１項記載の化粧料塗布具。
【請求項９】
前記植毛部は、静電加工により繊維が固定されて形成されている請求項１〜８のいずれか１項記載の化粧料塗布具。
【請求項１０】
前記ブラシ部は、その曲率半径が１０ｍｍ以上３００ｍｍ以下の円弧状である請求項１〜９のいずれか１項記載の化粧料塗布具。
【請求項１１】
請求項１〜１０のいずれか１項記載の化粧料塗布具と、化粧料を収容するための容器とを備える化粧料塗布装置であって、前記化粧料塗布具は、前記容器の口部から該容器内に出入自在になっており、前記容器には、その口部又はその近傍に、しごき孔を有する可撓性のしごき弁が設けられている化粧料塗布装置。
【発明の詳細な説明】
【技術分野】
【０００１】
本発明は、化粧料を睫毛や眉毛に塗布するために用いられる化粧料塗布具に関する。
【背景技術】
【０００２】
従来より、１本の金属製ワイヤを折り曲げ二つ折りしてなる一対のワイヤの間にブラシ毛を差し込み、この状態でねじることによりブラシ毛が放射状に植え込まれてなるブラシ部を有する液塗布具が検討されている。
【０００３】
たとえば、特許文献１では、ブラシ毛の外表面に縦方向に延長する塗布液保持溝を形成した多量塗布ブラシ部と先端に塗布液保持溝をもたない少量塗布ブラシ部を有することを特徴とする液塗布具が、１回の塗布操作で十分に濃い塗布液を塗布でき、かつ細部についても塗布液を塗布することができることが記載されている。
【０００４】
また、特許文献２では、瞼のカーブに沿わせるために円弧状に形成したマスカラブラシにおいて、円弧を平面視で半径１３ｍｍ〜２５ｍｍに設定したマスカラブラシが手間をかけないで睫毛にマスカラを簡単に塗布することが記載されている。
【０００５】
さらに、特許文献３では、ブラシ毛を芯部材に放射状に取り付けたブラシ部を軸部とするマスカラ塗布具において、芯部材を弧状にし、更にブラシ部の先端にブラシ毛より細い繊維パイルで植毛したブラシ部を設けたマスカラ塗布具が、目立つ睫毛の中央部のマスカラ処理を効率よく行い、カールアップも容易であることが記載されている。
【先行技術文献】
【特許文献】
【０００６】
【特許文献１】特開２００７−２８３１４５号公報
【特許文献２】特開２００１−２８６３４０号公報
【特許文献３】特開２００５−８７６３５号公報
【発明の概要】
【発明が解決しようとする課題】
【０００７】
特許文献１，２に記載されたマスカラ塗布具を用い、マスカラ塗布液を収容した容器から引き抜き、余分なマスカラを取り除く上下に動かすしごき操作を行った場合、しごいた後のマスカラ塗布具の把持部に近いブラシ部への液の付きが悪く、液の濃い部分と薄い部分が見られ、マスカラ液がむらづきしている。また、ブラシ部の先端においても、余分なマスカラを取り除くために上下に動かすしごき操作を行っても、先端に大きな液ダマが塊状に付きやすい。これはしごき操作の時のブラシ部への液の行きわたりが不十分であることが原因と考えられる。
【０００８】
このようにむらづきしたマスカラ塗布具を用いて、睫毛に塗布すると、先端に多量の液が付いた状態なので、睫毛にむらづきし、さらには毛束をつくる原因となる。本発明者らは、睫毛の目頭、目尻、下睫毛部分は塗りにくい部位であり、しかも、目頭は睫毛が短く、一度に多量のマスカラが付くと、睫毛に毛束ができ、美的外観を損なうという課題を見出した。
さらに、できた毛束を修正しようとしても、先端に多量の液が付いているので、部分直しも容易にできず、非常に使い勝手を損なう。
【０００９】
さらに、特許文献３に記載されたマスカラ塗布具で、睫毛の目頭から目尻まで一度に塗布すると、睫毛の目頭、目尻部分にむらづきが発生しやすい。これは、瞼の曲線とマスカラ塗布具のブラシ部から先端の植毛部までの全領域が円弧形状ではなく、曲線がずれているので、先端が睫毛に届かず、塗りむらが発生し、中央部しか塗ることができず、美観を損なう。
【００１０】
以上のように、特許文献３に記載のマスカラ塗布具では、目頭側から目尻側に亘る睫毛の大部分にマスカラ用の化粧料を一度で塗布することが難しかった。
また、特許文献３には、睫毛にマスカラ用の化粧料を一度で塗布するための、ブラシ部と植毛ブラシ部との配置関係に関して、何ら記載されていない。
【００１１】
したがって本発明は、前述した従来技術が有する欠点を解消し得る化粧料塗布具に関する。
【課題を解決するための手段】
【００１２】
本発明は、把持部と塗布部とを備える化粧料塗布具であって、塗布部は、把持部から伸びる軸部、軸部から放射状に延びるブラシ毛によるブラシ部、及び軸部における把持部とは反対側の先端に植毛部とを備えており、前記ブラシ部は、２本の金属製ワイヤの間にブラシ毛を差し込んだ状態で螺旋状に巻き付けられており、前記植毛部は、ブラシ部のブラシ毛より細かい繊維を備えており、前記塗布部は前記軸部におけるブラシ部から植毛部までの全領域が湾曲した形状である化粧料塗布具を提供するものである。
【発明の効果】
【００１３】
本発明によれば、例えばマスカラ用の化粧料の塗布具として用いると、容器から引き抜いた際に、塗布具のブラシ部全体に均一に液が付き、さらにブラシ部の先端に化粧料が塊状に付き難く、例えば短い睫毛の多い目頭側の睫毛、目尻側の睫毛、下睫毛にも、適量のマスカラ用の化粧料を塗ることができる。その結果、睫毛にダマ、毛束の発生を抑制し、塗り残しを防止することができる。また、本発明によれば、目頭側から目尻側に亘る睫毛の大部分にマスカラ用の化粧料を一度で塗布することができる。
【図面の簡単な説明】
【００１４】
【図１】図１は、本発明の第１の実施形態である化粧料塗布具を備えた化粧料塗布装置の一部破断正面図である。
【図２】図２は、図１に示す化粧料塗布具の斜視図である。
【図３】図３は、図２に示す化粧料塗布具における、ブラシ部が最も湾曲する状態から見た側面図である。
【図４】図４は、第２の実施形態の化粧料塗布具における、ブラシ部が最も湾曲する状態から見た側面図である。
【図５】図５は、第３の実施形態の化粧料塗布具における、ブラシ部が最も湾曲する状態から見た側面図である。
【図６】図６は、第４の実施形態の化粧料塗布具における、ブラシ部が最も湾曲する状態から見た側面図である。
【図７】図７は、第５の実施形態の化粧料塗布具における、ブラシ部が最も湾曲する状態から見た側面図である。
【図８】図８は、化粧料塗布具の備える植毛部の内部を示す内部透過図である。
【図９】図９は、化粧料塗布具の備えるブラシ毛と植毛部との関係の一例を示す斜視図である。
【図１０】図１０は、植毛部の形状が異なる他の化粧料塗布具における、ブラシ部が最も湾曲する状態から見た側面図である（図３相当図）。
【図１１】図１１は、植毛部の形状が更に異なる他の化粧料塗布具における、ブラシ部が最も湾曲する状態から見た側面図である（図３相当図）。
【図１２】図１２は、図３に示す植毛部の形状を説明するための図である。
【図１３】図１３は、図１１に示す植毛部の形状を説明するための図である。
【図１４】図１４は、図３に示すブラシ部と植毛部との境界の空隙部１５を説明するための図である。
【図１５】図１５（ａ）及び図１５（ｂ）は、図１に示す化粧料塗布具の使用状態の例を示す説明図である。
【発明を実施するための形態】
【００１５】
以下、本発明を、その好ましい実施形態に基づき図面を参照しながら説明する。
以下の説明においては、図１〜図３に示すように、後述する本発明の第１の実施形態の化粧料塗布具１の軸部１２の軸の延びる軸方向をＹ方向、軸方向（Ｙ方向）に直交する周に向かう方向（径方向）をＸ方向として説明する。また、図１〜図３に示すように、軸方向（Ｙ方向）については、後述する化粧料塗布具１の把持部１１側を上側として説明し、後述する植毛部１４側を下側として説明する。
【００１６】
図１には、本発明の化粧料塗布具１を備えた化粧料塗布装置１００の一実施形態の正面図が、一部破断した状態で示されている。化粧料塗布装置１００は、化粧料３を塗布するための化粧料塗布具１（以下、単に「塗布具１」ともいう。）と、化粧料３を収容するための容器２とを備えている。以下、塗布具１及び容器２についてそれぞれ説明する。
【００１７】
まず、容器２について説明する。容器２は、その内部に化粧料３を収容できる有底の形状であれば任意の形状でよく、本実施形態では、図１に示すように、有底の軸方向（Ｙ方向）に細長い円筒形状に形成されている。容器２は、その内部に化粧料３を収容できるようになっている。容器２は、その底部と対向して口部２３を有する。口部２３は軸方向（Ｙ方向）上方に向けて開口している。口部２３の外周面にはネジ部２２が設けられている。このネジ部２２は、後述する塗布具１の把持部１１の内周面に設けられたネジ部（図示せず）と螺合可能になっている。
【００１８】
容器２には、その口部２３又は口部２３の近傍に、しごき孔２１１を有する可撓性のしごき弁２１が設けられている。具体的には、図１に示すように、容器２における口部２３は、その近傍にしごき弁２１を有している。しごき弁２１は、容器２の口部２３から底部に向けて縮径した漏斗状の形状をしており、その軸方向（Ｙ方向）下端の位置にしごき孔２１１を有している。しごき孔２１１は、後述する塗布具１における軸部１２、ブラシ部１３及び植毛部１４の通過が自在になっている。しごき孔２１１は、容器２の横断面視において、しごき弁２１の径方向（Ｘ方向）略中央部に形成されている。また、しごき孔２１１は円孔となっている。この円孔の周りには、スリットが放射状に１つ、又は２つ以上入っても良い。しかし、しごき孔２１１の形状はこれに限られない。しごき孔２１１は、塗布具１の下端側に位置するブラシ部１３及び植毛部１４を容器２内に挿入し、また容器２内から抜き出すことが可能な大きさを有している。しごき弁２１は、塗布具１の軸部１２、ブラシ部１３及び植毛部１４に付着した過剰量の化粧料３を適度にしごき取るために用いられる。この目的のために、しごき弁２１は、1つ、又は２つ以上から構成される。しごき弁２１はゴムや樹脂等の弾性変形可能な材料から構成されている。尚、図１においては、しごき弁２１は、口部２３の近傍、即ち口部２３から若干離れた軸方向（Ｙ方向）下方寄りに位置しているが、これに代えて、口部２３の位置に、しごき弁２１を配置してもよい。容器本体３の口部２３の近傍部分には、口部２３から若干離れた箇所から口部２３までの部分が含まれる。
【００１９】
塗布具１は、図１に示すように、上述した構成の容器２の口部２３から容器２内に出入自在になっている。塗布具１は、把持部１１と塗布部１０とを備えている。塗布部１０は、把持部１１から伸びる軸部１２、軸部１２から放射状に延びるブラシ毛によるブラシ部１３、及び軸部１２における把持部１１とは反対側の先端に植毛部１４とを備えている。即ち、塗布具１は、把持部１１に固定された軸部１２の先端にブラシ部１３及び植毛部１４を有している。把持部１１は、使用時に指で把持する部分であり、本実施形態においては、容器２の口部２３を覆う蓋体の役割も担う部分である。把持部１１は、一直線状に軸方向（Ｙ方向）に平行に延びる棒状の軸部１２の上端部と連結している。そして、軸部１２の軸方向（Ｙ方向）下端部に、ブラシ部１３及び植毛部１４が設けられている。以下、ブラシ部１３及び植毛部１４について詳述する。図２は、図１の塗布具１の側面図であり、図３は、図２の塗布具１の要部拡大側面図である。
【００２０】
ブラシ部１３は、図２及び図３に示すように、湾曲した形状を有し、２本の金属製ワイヤ１３１の間にブラシ毛１３２を差し込んだ状態で螺旋状に巻き付け、該ブラシ毛１３２が放射状に植え込まれて形成されている。具体的には、１本の金属製ワイヤ１３１を折り返して２本とした後、これら２本の金属製ワイヤ１３１の間にブラシ毛１３２を差し込む。その後、ブラシ毛１３２を差し込んだ２本の金属製ワイヤ１３１を螺旋状に捩ることによって、軸方向（Ｙ方向）に細長い芯体１３３が形成されるとともに、ひねりの間にブラシ毛１３２が保持され、細長い芯体１３３の全長に沿って放射状にブラシ毛１３２が規則的に植え込まれる。このようにしてブラシ部１３が形成される。尚、本実施形態においては、１本の金属製ワイヤ１３１を折り返して２本としたが、独立した２本の金属製ワイヤ１３１を用いてもよい。このように形成されたブラシ部１３の芯体１３３の軸方向（Ｙ方向）上端側を、軸部１２の軸方向（Ｙ方向）下端に差し込んで連結している。ブラシ部１３の芯体１３３と軸部１２との連結部の固定には、芯体１３３を軸部１２に埋め込んで連結している。
【００２１】
ブラシ部１３の芯体１３３を形成する金属製ワイヤ１３１としては、ステンレス製等の針金を用いることができる。ステンレス製の針金は、その直径が０．１ｍｍ以上２ｍｍ以下であることが好ましく、０．４ｍｍ以上１ｍｍ以下であることがより好ましい。
【００２２】
ブラシ毛１３２の材質としては、ナイロン、テトロン、ポリプロピレン、ポリエステル等の合成樹脂からなる合成樹脂繊維、レーヨン等の半合成繊維、或いは動物の毛などの天然繊維を用いることができる。また、ブラシ毛１３２としては、中実繊維毛でも中空繊維毛であってもよい。また、ブラシ毛１３２は、その断面が円形、楕円形、多角形等の形状であってもよい。ブラシ毛１３２に使用する際には、材質、形状及び断面が同じ１種類の毛を単独で、又は、材質、形状及び断面の少なくとも１つが異なる種類の毛をブレンドして用いることができる。ブラシ毛１３２の材質、形状及び断面は、塗布対象部位、或いは使用する化粧料３の種類に応じて、適切なものが選択される。なかでもナイロン等の合成樹脂からなる合成樹脂繊維が好ましい。
【００２３】
ブラシ毛１３２は、芯体１３３を形成する金属製ワイヤ１３１の一巻き毎に、３本以上８５本以下植え込まれていることが好ましく、５本以上６０本以下植え込まれていることがより好ましい。
ブラシ毛１３２は、その太さが、３０μｍ以上２５０μｍ以下であることが好ましく、５０μｍ以上２００μｍ以下であることがより好ましく、６１μｍ以上１５０μｍ以下がさらに好ましく、７５μｍ以上１３５μｍ以下がよりさらに好ましい。
また、ブラシ毛１３２の長さは、１ｍｍ以上１５ｍｍ以下であることが好ましく、２ｍｍ以上８ｍｍ以下であることがより好ましい。ブラシ毛１３２の長さの測定は、金属製ワイヤ１３１に巻きつけた時のブラシ毛１３２の長さを示している。尚、本実施形態においては、ブラシ毛１３２の芯体１３３表面からの長さが一定であるが、長さが異なっていてもよい。ブラシ毛１３２の長さが異なる例としては、例えば、芯体１３３における軸方向（Ｙ方向）の上側から下側に向かって、ブラシ毛１３２の芯体１３３表面からの長さが漸次短くなっていたり、漸次長くなっていたりする形態、芯体１３３における軸方向（Ｙ方向）の上側から下側に向かって、ブラシ毛１３２の芯体１３３表面からの長さが漸次長くなり、続いて漸次短くなるような形態、或いは、不規則的にブラシ毛１３２の芯体１３３表面からの長さが異なる形態等が挙げられる。
【００２４】
塗布部１０は、軸部１２におけるブラシ部１３から植毛部１４までの全領域が湾曲した形状に形成されている。具体的には、ブラシ部１３から植毛部１４までの全領域の外面が前記芯体１３３に沿って、円弧状に湾曲し、ブラシ毛１３２の先端を繋いだブラシの外形が、円筒状になっている。そのブラシ部１３が最も湾曲する状態を側面視して、図４に示すような、ブラシ部１３のブラシ部の最大径が、ブラシ部１３の中央領域で最大となる凸面形状（中央が膨出した円柱形状）となっている第２の実施形態でも、図５に示すような、ブラシ部１３が中央領域で最小となる凹面形状となっている第３の実施形態でも、図６に示すような、ブラシ部１３が平坦な形状（全体が概ね同径の湾曲した円柱形状）となっている第４の実施形態でも、図７に示すような、ブラシ部１３が先端に向けて径が小さくなる先細円柱形状となっている第５の実施形態等であってもよい。なかでも、まつげの中央部分を塗布する際に、液含みが良くボリュームを出すのに適している点からブラシ部１３が最も湾曲する状態を側面視して、図４に示すような、ブラシ部１３のブラシ部の最大径が、ブラシ部１３の中央領域で最大となる形状が好ましい。また、ブラシ部１３および植毛部１４に適量の液を均一に含ませる点から、ブラシ部１３が最も湾曲する状態を側面視して、図６に示すような、ブラシ部１３が平坦な形状であることが好ましい。
図４〜図７は、便宜上様々な植毛部１４の形状を示しているが、図４〜図７に示す各形態に記載の植毛部１４の形状に限定されるものではなく、あくまでも植毛部１４の形状のバリエーションを示しているに過ぎない。
【００２５】
ブラシ部１３が最も湾曲する状態を側面視して、ブラシ部１３のブラシ部の最大径は、１ｍｍ以上１５ｍｍ以下であることが好ましく、２ｍｍ以上８ｍｍ以下であることがより好ましい。
ブラシ部１３の最も湾曲する状態を側面視して、把持部とは反対側の先端径は、１ｍｍ以上１５ｍｍ以下であることが好ましく、２ｍｍ以上８ｍｍ以下であることがより好ましく、２ｍｍ以上６ｍｍ以下がさらに好ましい。
ブラシ部１３の把持部とは反対側の先端径は、ブラシ部１３の円筒の最大径との差が、９ｍｍ以下が好ましく、７ｍｍ以下がより好ましく、２ｍｍ以下がさらに好ましい。ブラシ部１３の把持部とは反対側の先端径は、ブラシ部１３の円筒の最大径と同等の長さでも良い。
【００２６】
以上のように構成されたブラシ部１３は、図２及び図３に示すように、湾曲して形成されている。即ち、ブラシ部１３は、全長に亘って湾曲している。円弧状のブラシ部１３は、例えば目の瞼のカーブに沿わせる観点から、湾曲した形状が円弧状であることが好ましく、その曲率半径が、１０ｍｍ以上３００ｍｍ以下であることが好ましく、１３ｍｍ以上２００ｍｍ以下であることがより好ましく、３０ｍｍ以上１００ｍｍ以下であることがさらに好ましい。
【００２７】
ブラシ部１３の軸方向（Ｙ方向）下側（先端）に設けられる植毛部１４は、ブラシ部１３のブラシ毛より細かい繊維を備えている。植毛部１４は、ブラシ部１３の先端に静電植毛により繊維１４１が固定されて形成されている。具体的には、ブラシ部１３の芯体１３３の軸方向（Ｙ方向）下側（先端）に接着剤を直接塗工して植毛用基部を形成して繊維１４１を静電植毛したり、或いは、ブラシ部１３の芯体１３３の軸方向（Ｙ方向）下側（先端）にゴム、樹脂等の部材を取り付け、接着剤を塗工して植毛用基部を形成して繊維１４１を静電植毛することにより、該植毛用基部の表面に複数本の繊維１４１が固定されて、植毛部１４が形成される。
【００２８】
尚、ブラシ部１３の軸方向（Ｙ方向）下側（先端）に静電植毛する場合は、ブラシ部１３の芯体１３３を形成する金属製ワイヤ１３１にブラシ毛１３２を差し込まずに、螺旋状に捩ってから、静電塗布する。又は、ブラシ部１３の芯体１３３を形成する金属製ワイヤ１３１にブラシ毛１３２を螺旋状に捩ってから、ブラシ毛１３２にトリミングを施し、余分なブラシ毛１３２をカットして取り除くことによって、ブラシ毛の長さを調整した後に静電植毛して得ることができる。詳述すると、ブラシ部１３の芯体１３３を形成する金属製ワイヤ１３１にブラシ毛１３２を螺旋状に捩ってから、余分なブラシ毛を短くカットし、重なるように静電植毛することができる。余分なブラシ毛を、図８に示す平坦な形状となるように均一にカットしても良く、植毛部１４をブラシ部１３にしっかり固定させる点から、凸面形状、凹面形状、先細円柱形状等の形状になるように不均一にカットしても良い。さらに、図９に示すように、ブラシ部１３の一部のブラシ毛１３２を植毛部１４が覆うように重なる植毛を施しても良い。その結果、静電植毛される繊維１４１をブラシ部１３に、よりしっかり固定することができる。
【００２９】
植毛部１４を構成する繊維１４１の材質としては、ナイロン、ポリプロピレン、ポリエステル、ポリブチレンテレフタレート等の合成樹脂からなる合成樹脂繊維、レーヨン等の半合成繊維、或いは動物の毛などの天然繊維を用いることができる。繊維１４１の材質は、塗布対象部位、或いは使用する化粧料３の種類に応じて、適切なものが選択される。中でもナイロン等の合成樹脂からなる合成樹脂繊維、レーヨン等の半合成繊維が好ましい。
【００３０】
植毛部１４の繊維１４１は、化粧料３を適量含ませたり、睫毛の目頭、目尻、下睫毛にダマ、毛束の発生を抑制し、均一に塗布する観点から、その密度が、ブラシ部１３のブラシ毛１３２の密度よりも高いことが好ましく、ブラシ部１３のブラシ毛１３２の密度の１倍超２００００倍以下であることが好ましく、ブラシ部１３のブラシ毛１３２の密度の２倍以上２０００倍以下であることが更に好ましい。具体的には、植毛部１４の繊維１４１の密度は、好ましくは１本／ｍｍ２以上１００００本／ｍｍ２以下、より好ましくは３０本／ｍｍ２以上５０００本／ｍｍ２以下である。また、ブラシ部１３のブラシ毛１３２の密度は、好ましくは０．１本／ｍｍ２以上１００本／ｍｍ２以下、より好ましくは１本／ｍｍ２以上３０本／ｍｍ２以下、さらに好ましくは３本／ｍｍ２以上２５本／ｍｍ２以下が好ましい。
ブラシ部１３のブラシ毛１３２の密度は、針金部の単位面積あたりのブラシ毛の本数のようにして測定することができる。一方、植毛部１４の繊維１４１の密度は、単位面積あたりの植毛繊維の本数のようにして測定することができる。
【００３１】
また、植毛部１４の繊維１４１は、その太さが、１μｍ以上８０μｍ以下であることが好ましく、１μｍ以上６０μｍ以下であることがより好ましい。なかでも、柔らかめの繊維パイルがまつげに優しくあたるので塗り心地が良い点から、１μｍ以上２９μｍ以下であることがさらに好ましく、７μｍ以上２４μｍ以下であることがよりさらに好ましい。又、硬めの繊維パイルがコーム様に、まつげを１本１本セパレートする点から３０μｍ以上５７μｍ以下がさらに好ましい。
また、植毛部１４の繊維１４１は、植毛用基部の表面からの長さが、０．１ｍｍ以上７ｍｍ以下であることが好ましく、０．３ｍｍ以上５ｍｍ以下であることがより好ましい。０．５ｍｍ以上４ｍｍ以下であることが更に好ましい。尚、本実施形態においては、繊維１４１の植毛用基部の表面からの長さが一定であるが、長さが異なっていてもよい。
【００３２】
以上のように構成された化粧料塗布具１は、図３に示すように、ブラシ部１３が最も湾曲する状態を側面視して、内側部分に位置する放射状のブラシ毛１３２の先端どうしを繋いで形成される内側仮想曲線ＩＬ１の延長線上に沿って、先端に植毛部１４の軸部１２を通る最大径の外形（外周）が配置されている。このことにより、化粧料３を収容した容器２から化粧料塗布具１を引き抜き、余分な化粧料３を取り除く上下に動かすしごき操作を行った場合に、把持部１１に近いブラシ部１３から植毛部１４まで適量を留保させることができ、さらに睫毛に塗布した際に睫毛の目頭から目尻まで一度に均一に塗ることができ、睫毛にマスカラのダマや毛束の発生を抑制し、塗り残しを防止することができる。尚、延長線上に沿ってとは、植毛部１４の最外径の外形（外周）が、延長線上の外側１ｍｍから内側１ｍｍの範囲内にある程度を言う。
【００３３】
また、ブラシ毛１３２の先端どうしを繋いで形成される内側仮想曲線ＩＬ１を描く際、本実施形態のように、ブラシ毛１３２の芯体１３３表面からの長さが一定である場合、或いは、芯体１３３における軸方向（Ｙ方向）の上側から下側に向かって、ブラシ毛１３２の芯体１３３表面からの長さが漸次短くなっていたり、漸次長くなっていたりする形態、漸次長くなって、短くなる形態の場合は、実際のブラシ毛１３２の先端どうしを繋ぐことにより内側仮想曲線ＩＬ１を描くことができる。しかし、不規則的にブラシ毛１３２の芯体１３３表面からの長さが異なる形態の場合は、ランダムに２０本のブラシ毛１３２を抽出し、それから平均長さを求め、求められた平均長さのブラシ毛１３２を基準に、仮想のブラシ毛１３２の先端どうしを繋ぐことにより内側仮想曲線ＩＬ１を描くことができる。
【００３４】
前記塗布部１０が最も湾曲する状態を側面視して、植毛部１４の軸部１２を通る最大径と、ブラシ部１３のブラシ毛１３２の先端を繋いだブラシの外形による湾曲した形状（円柱形状）の仮想３次元の立体円柱構造における、把持部１１とは反対側の先端径との割合（植毛部の最大径/ブラシ部先端径）が、０．３以上３以下が好ましく、０．５以上３以下がより好ましく、０．６以上１．４以下がさらに好ましく、０．７以上１．２以下がよりさらに好ましく、０．８以上１．１以下がよりさらに好ましい。このことにより、化粧料３を収容した容器２から化粧料塗布具１を引き抜き、余分な化粧料３を取り除く上下に動かすしごき操作を行った場合に、把持部１１に近いブラシ部１３から植毛部１４まで適量を留保させることができ、さらに睫毛に塗布した際に睫毛の目頭から目尻まで一度に均一に塗ることができ、睫毛にマスカラのダマや毛束の発生を抑制し、塗り残しを防止することができる。
【００３５】
前記塗布部１０が最も湾曲する状態を側面視して、植毛部１４の軸部１２を通る最大径と、ブラシ部１３のブラシ毛１３２の先端を繋いだブラシの外形による湾曲した形状（円柱形状）の仮想３次元の立体円柱構造における最大径との割合（植毛部の最大径/ブラシ部最大径）が、０．３以上１．５以下が好ましく、０．５以上１．５以下がより好ましく、０．５以上１．３以下がさらに好ましく、０．６以上１．２以下がよりさらに好ましく、０．８以上１．１以下がよりさらに好ましい。このことにより、化粧料３を収容した容器２から化粧料塗布具１を引き抜き、余分な化粧料３を取り除く上下に動かすしごき操作を行った場合に、把持部１１に近いブラシ部１３から植毛部１４まで適量を留保させることができ、さらに睫毛に塗布した際に睫毛の目頭から目尻まで一度に均一に塗ることができ、睫毛にマスカラのダマや毛束の発生を抑制し、塗り残しを防止することができる。
【００３６】
植毛部１４の形状としては、内側仮想曲線ＩＬ１の延長線上に沿って、軸方向（Ｙ方向）下側（先端）に配置されている。例えば、図３及び図６に示すような軸方向（Ｙ方向）下方寄りに最大幅を有する卵形状、雫形状（図７参照）、図１０に示すような軸方向（Ｙ方向）中心に最大幅を有する球形状、図１１に示すような軸方向（Ｙ方向）上方寄りに最大幅を有する逆卵形状、逆雫形状（図４参照）、俵状（図５参照）の他、多角形状であってもよく、デザイン柄形状等であってもよい。
尚、図１０に示す球形状の植毛部１４は、形状が軸方向（Ｙ方向）に短くなっている為、コンパクトに塗ることができ、マスカラ液を肌に付けずに、塗ることができる、また、図３に示す雫形状の植毛部１４、図１１に示す逆雫形状の植毛部１４及び図５に示す俵状の植毛部１４は、形状が軸方向（Ｙ方向）に細長くなっている為、内側仮想曲線ＩＬ１の延長線に線で接しており、化粧料塗布具１のブラシ部１３から植毛部１４までが、睫毛の目尻から目頭まで、ピッタリとフィットした状態で一度に塗布できる。さらに、図３に示す雫形状の場合、下まつ毛への塗布が容易になる。また、図１１に示す逆雫形状の場合、植毛部が細くなっているので、塗布時に視界を遮らず、塗りにくい目頭・目尻部分にもきめ細かく塗布することができる。
【００３７】
具体的に、図３に示す軸方向（Ｙ方向）下方寄りに最大幅を有する卵形状（雫形状）について、図１２を用いて詳述する。「軸方向（Ｙ方向）下方寄りに最大幅を有する卵形状（雫形状）」とは、図１２に示すように、植毛部１４の複数本の繊維１４１それぞれの先端どうしを結んだ軸方向（Ｙ方向）に長い球形状と、該長い球形状における最も長い部位を通って該長い球形状を囲む仮想真球状ＩＳとを描いた際に、該仮想真球状ＩＳの重心の位置の方が該長い球形状の重心の位置よりも把持部１１側にある球形状のことを意味する。また、図１１に示す軸方向（Ｙ方向）上方寄りに最大幅を有する逆卵形状（逆雫形状）について、図１３を用いて詳述する。「軸方向（Ｙ方向）上方寄りに最大幅を有する逆卵形状（逆雫形状）」とは、図１３に示すように、植毛部１４の複数本の繊維１４１それぞれの先端どうしを結んだ軸方向（Ｙ方向）に長い球形状と、該長い球形状における最も長い部位を通って該長い球形状を囲む仮想真球状ＩＳとを描いた際に、該長い球形状の重心の位置の方が該仮想真球状ＩＳの重心の位置よりも把持部１１側にある球形状のことを意味する。尚、図１０に示す軸方向（Ｙ方向）中心に最大幅を有する球形状とは、該球形状の重心の位置と仮想真球状ＩＳの重心の位置とが一致する球形状のことを意味する
【００３８】
図３に示すように、ブラシ部１３が最も湾曲する状態を側面視して、植毛部１４の全幅（ｎ）に対する植毛部１４の全長（ｍ）の割合（ｍ／ｎ）は、化粧料３を収容した容器２から化粧料塗布具１を引き抜き、余分な化粧料３を取り除く上下に動かすしごき操作を行った場合に、把持部１１に近いブラシ部１３から植毛部１４まで適量を留保させることができ、さらに睫毛への塗布しやすさの観点から、０．５以上１０以下であることが好ましく、１以上３．５以下であることがより好ましい。具体的には、植毛部１４の最大径（全幅）（ｎ）は、１ｍｍ以上１５ｍｍ以下が好ましく、２ｍｍ以上８ｍｍ以下がより好ましく、２ｍｍ以上６ｍｍ以下が更に好ましい。また、植毛部１４の全長（ｍ）は、好ましくは１ｍｍ以上１５ｍｍ以下、更に好ましくは２ｍｍ以上１０ｍｍ以下である。尚、植毛部１４の最大径（全幅）（ｎ）は、本実施形態においては、周方向に一定であるが、一定でなくてもよい。具体的には、ブラシ部１３が最も湾曲する状態を側面視した際の植毛部１４の最大径（全幅）と、例えば、ブラシ部１３が軸方向（Ｙ方向）に平行に一直線状に延びる状態を側面視した際の植毛部１４の最大径（全幅）とが異なっていてもよい。
【００３９】
また、図３に示すように、ブラシ部１３が最も湾曲する状態を側面視して、植毛部１４の全長（ｍ）に対するブラシ部１３の全長（ｐ）の割合（ｐ／ｍ）は、化粧料の塗りやすさの観点から、１以上１０以下であることが好ましく、２以上７以下であることが更に好ましい。具体的には、ブラシ部１３の全長（ｐ）は、好ましくは３ｍｍ以上３５ｍｍ以下、更に好ましくは１５ｍｍ以上３０ｍｍ以下である。ここで、ブラシ部１３の全長（ｐ）は、軸方向（Ｙ方向）の上下端の最短距離ではなく、実際の細長い曲線状の芯体１３３の長さを意味する。
【００４０】
更にまた、図３に示すように、ブラシ部１３が最も湾曲する状態を側面視して、植毛部１４の全長（ｍ）とブラシ部１３の全長（ｐ）との合計値（ｐ+ｍ）は、睫毛に化粧料３を一度に塗布できる観点から、５ｍｍ以上４０ｍｍ以下であることが好ましく、２０ｍｍ以上３５ｍｍ以下であることがより好ましい。
【００４１】
本実施形態の化粧料塗布具１は、図２及び図３に示すように、ブラシ部１３のブラシ毛１３２の先端を繋いだブラシの外形と、植毛部１４の外形との間に空隙部１５を有する。即ち、化粧料塗布具１は、ブラシ部１３と植毛部１４との境界に、ブラシ部１３の軸心方向に切り欠かれた空隙部１５を有している。具体的には、空隙部１５は、ブラシ部１３の軸方向（Ｙ方向）の最下端のブラシ毛１３２と、植毛部１４の軸方向（Ｙ方向）の上端側の植毛用基部の表面からブラシ部１３側に向かって立設する複数の繊維１４１の先端との間に、ブラシ部１３の芯体１３３方向に全周方向に亘って切り欠かれた状態で形成されている（図１４参照）。空隙部１５は、化粧料３を収容した容器２から化粧料塗布具１を引き抜き、余分な化粧料３を取り除く上下に動かすしごき操作を行った場合に、植毛部１４の液だまの発生を抑制すべく、適量の化粧料３を貯留させ、塗布部１０の全体にいきわたらせる観点から、その体積が、植毛部１４の体積の０．１％以上１００％以下であることが好ましく、植毛部１４の体積の１％以上８０％以下であることがより好ましく、植毛部１４の体積の２％以上５０％以下が更に好ましい。具体的には、空隙部１５の体積は、０．１ｍｍ３以上１５００ｍｍ３以下が好ましく、０．５ｍｍ３以上６００ｍｍ３以下がより好ましく、１ｍｍ３以上５０ｍｍ３以下がさらに好ましい。
ここで、空隙部１５の体積は、図１４に示すように、ブラシ部１３の軸方向（Ｙ方向）の最下側のブラシ毛１３２の先端と、植毛部１４の最も広い幅に位置する部分とを結んだ線を、ブラシ部１３の軸心を中心に全周に亘らせることにより想定される仮想３次元の立体円柱構造の部分から得られる値である。
【００４２】
また、化粧料塗布具１は、図３に示すように、ブラシ部１３が最も湾曲する状態を側面視して、外側部分に位置する放射状のブラシ毛１３２の先端どうしを繋いで形成される外側仮想曲線ＩＬ２の延長線上に沿って、植毛部１４の軸部１２を通る最大径の外形（外周）が配置されている。このことにより、目頭側から目尻側までに亘るまつ毛の大部分にマスカラを塗布できる。尚、延長線上に沿ってとは、植毛部１４の最外径の外形（外周）が、延長線上の外側１ｍｍから内側１ｍｍの範囲内にある程度を言う。
【００４３】
上述した本発明の実施形態の化粧料塗布具１を備える化粧料塗布装置１００を使用した際の作用効果について説明する。
図１に示すように、以上の構成を有する化粧料塗布具１が、化粧料塗布装置１００を構成する容器２内から引き抜かれると、しごき弁２１のしごき孔２１１により、化粧料塗布具１の軸部１２、ブラシ部１３及び植毛部１４に付着した過剰の化粧料３がしごき落とされる。その際、化粧料塗布具１の塗布部１０は、軸部１２におけるブラシ部１３から植毛部１４までの全領域が湾曲した形状に形成されており、化粧料塗布具１には、ブラシ部１３の軸方向（Ｙ方向）の下端（先端）に植毛部１４を有し、内側仮想曲線ＩＬ１の延長線上に沿って植毛部１４が配置されているので、ブラシ部１３の軸方向（Ｙ方向）の下端（先端）に化粧料３が塊状に付き難く、適量の化粧料３がブラシ部１３及び植毛部１４に保持されるようになる。特に、本実施形態の化粧料塗布具１は、図２及び図３に示すように、ブラシ部１３と植毛部１４との境界に空隙部１５を有しているので、しごき弁２１のしごき孔２１１によって過剰の化粧料３がしごき落とされる際に、適量な化粧料３を保持でき、化粧料塗布具１を上下に動かすしごき操作を行うことで、適量の化粧料３がブラシ部１３及び植毛部１４に保持されるようになる。
【００４４】
図１５（ａ）及び図１５（ｂ）には、本実施形態の化粧料塗布具１の使用状態の例が示されている。図１５（ａ）及び図１５（ｂ）は、塗布対象部位として、睫毛にマスカラ用の化粧料３を塗布する状態を示している。上述したように、化粧料塗布具１は、化粧料塗布装置１００を構成する容器２内から引き抜かれると、ブラシ部１３及び植毛部１４に適量の化粧料３が保持されるようになる。そのため、化粧料塗布具１の使用者は、適量の化粧料３が保持された植毛部１４を用いて、図１５（ａ）に示すように、睫毛の中央部だけでなく、短い睫毛の多い目頭側の睫毛にも、狙った睫毛１本１本に塗れてボリュームを調整しながら適量のマスカラ用の化粧料３を塗ることができる。また、適量の化粧料３が保持された植毛部１４を用いて、図１５（ｂ）に示すように、目尻側の睫毛にも、適量のマスカラ用の化粧料３を塗ることができる。
【００４５】
また、本実施形態の化粧料塗布具１は、図３に示すように、塗布部１０が前記軸部におけるブラシ部から植毛部までの全領域が円弧形状になっている。その為、化粧料塗布具１の使用者は、図１５（ａ）に示すように、カーブしている瞼の目頭側から目尻側に亘る複数本の睫毛の大部分の根元に、ブラシ部１３及び植毛部１４を隙間なく密着させ、当てることができるので、睫毛にむらなく、一度に均一に塗布できる。さらに、まつ毛にマスカラのダマや毛束の発生を抑制し、美観に優れた仕上りが得られる。また、植毛部１４が使用者の鼻に当たり難く、視界も遮り難く、操作性が向上する。さらに、使用を止め、容器２に化粧料塗布具１を収納する場合においても、ブラシ部から植毛部までの全領域が円弧形状になっているので、容器２の口部２３に塗布部１０が引っ掛かりにくく、把持部１１を持つだけで、やり直すことなく、スムーズに収納することができる。
【００４６】
本発明の化粧料塗布具は、上述した本実施形態の化粧料塗布具１に何ら制限されるものではなく、適宜変更可能である。
例えば、上述した化粧料塗布具１は、化粧料３としてマスカラ用の化粧料を用いた、図１５（ａ）及び図１５（ｂ）に示すようなマスカラ用の化粧料塗布具であったが、化粧料３としてアイブロー用の化粧料を用い、塗布対象部位を眉毛としたアイブロー用の化粧料塗布具であってもよい。さらに、化粧料３として睫毛・眉毛用の美容液を用い、塗布対象部位を睫毛・眉毛とした睫毛・眉毛用の化粧料塗布具であってもよい。
【００４７】
また、本実施形態の化粧料塗布具１は、図２及び図３に示すように、ブラシ部１３と植毛部１４との境界に、ブラシ部１３の軸心方向に切り欠かれた空隙部１５を有しているが、空隙部１５を有していなくてもよい。
【００４８】
上述した実施形態に関し、さらに以下の化粧料塗布具を開示する。
【００４９】
＜１＞
把持部と塗布部とを備える化粧料塗布具であって、
塗布部は、把持部から伸びる軸部、軸部から放射状に延びるブラシ毛によるブラシ部、及び軸部における把持部とは反対側の先端に植毛部とを備えており、
前記ブラシ部は、２本の金属製ワイヤの間にブラシ毛を差し込んだ状態で螺旋状に巻き付けられており、前記植毛部は、ブラシ部のブラシ毛より細かい繊維を備えており、前記塗布部は前記軸部におけるブラシ部から植毛部までの全領域が湾曲した形状である化粧料塗布具。
【００５０】
＜２＞
前記塗布部は前記軸部におけるブラシ部から植毛部までの全領域が円弧形状である前記＜１＞記載の化粧料塗布具。
＜３＞
前記ブラシ部のブラシ毛の先端を繋いだブラシの外形と、前記植毛部の外形との間に空隙部を有する前記＜１＞又は＜２＞記載の化粧料塗布具。
＜４＞
前記塗布部が最も湾曲する状態を側面視して、前記植毛部の軸部を通る最大径と、ブラシ部のブラシ毛の先端を繋いだブラシの外形による円弧状の仮想３次元の立体円柱構造における最大径との割合（植毛部の最大径/ブラシ部最大径）が０．３以上１．５以下が好ましく、０．５以上１．５以下がより好ましく、０．５以上１．３以下がさらに好ましく、０．６以上１．２以下がよりさらに好ましく、０．８以上１．１以下がよりさらに好ましい前記＜１＞〜＜３＞のいずれか１記載の化粧料塗布具。
＜５＞
前記塗布部が最も湾曲する状態を側面視して、前記植毛部の軸部を通る最大径と、ブラシ部のブラシ毛の先端を繋いだブラシの外形による円弧状の仮想３次元の立体円柱構造における把持部とは反対側の先端径との割合（植毛部の最大径/ブラシ部先端径）が０．３以上３以下が好ましく、０．５以上３以下がより好ましく、０．６以上１．４以下がさらに好ましく、０．７以上１．２以下がよりさらに好ましく、０．８以上１．１以下がよりさらに好ましい前記＜１＞〜＜４＞のいずれか１記載の化粧料塗布具。
＜６＞
前記植毛部の前記繊維は、その密度が、前記ブラシ部の前記ブラシ毛の密度よりも高い前記＜１＞〜＜５＞のいずれか１記載の化粧料塗布具。
＜７＞
前記植毛部は、静電加工により繊維が固定されて形成されている前記＜１＞〜＜６＞のいずれか１記載の化粧料塗布具。
＜８＞
前記ブラシ部は、その曲率半径が１０ｍｍ以上３００ｍｍ以下であることが好ましく、１３ｍｍ以上２００ｍｍ以下であることがより好ましく、３０ｍｍ以上１００ｍｍ以下であることがさらに好ましい円弧状である前記＜１＞〜＜７＞のいずれか１記載の化粧料塗布具。
＜９＞
前記＜１＞〜＜８＞のいずれか１記載の化粧料塗布具と、化粧料を収容するための容器とを備える化粧料塗布装置であって、前記化粧料塗布具は、前記容器の口部から該容器内に出入自在になっており、前記容器には、その口部又はその近傍に、しごき孔を有する可撓性のしごき弁が設けられている化粧料塗布装置。
＜１０＞
前記ブラシ部が最も湾曲する状態を側面視して、内側部分に位置する放射状のブラシ毛の先端どうしを繋いで形成される内側仮想曲線の延長線上に沿って、先端に植毛部の軸部を通る最大径の外形（外周）が配置されている前記＜１＞〜＜９＞のいずれか１記載の化粧料塗布具。
＜１１＞
前記ブラシ部が最も湾曲する状態を側面視して、外側部分に位置する放射状のブラシ毛の先端どうしを繋いで形成される外側仮想曲線の延長線上に沿って、植毛部の軸部を通る最大径の外形（外周）が配置されている前記＜１＞〜＜１０＞のいずれか１記載の化粧料塗布具。
【符号の説明】
【００５１】
１  化粧料塗布具
１１  把持部
１０  塗布部
１２  軸部
１３  ブラシ部
１３１  金属製ワイヤ
１３２  ブラシ毛
１３３  芯体
１４  植毛部
１４１  繊維
１５  空隙部
２  容器
２１  しごき弁
２１１  しごき孔
２２  ねじ部
２３  口部
３  化粧料
１００  化粧料塗布装置
【図１】
2015097790.tif 000003
【図２】
2015097790.tif 000004
【図３】
2015097790.tif 000005
【図４】
2015097790.tif 000006
【図５】
2015097790.tif 000007
【図６】
2015097790.tif 000008
【図７】
2015097790.tif 000009
【図８】
2015097790.tif 000010
【図９】
2015097790.tif 000011
【図１０】
2015097790.tif 000012
【図１１】
2015097790.tif 000013
【図１２】
2015097790.tif 000014
【図１３】
2015097790.tif 000015
【図１４】
2015097790.tif 000016
【図１５】
2015097790.tif 000017